(57)【要約】【課題】マスクを着用した顔のＩＤ情報及び人体の生理信号を識別する、レーダー検出及びＩＤ識別装置を提供する。【解決手段】レーダー検出及びＩＤ識別装置１は、少なくとも１つの表示ホスト１１と、少なくとも１つの撮影装置１２と、少なくとも１つのレーダー検出器１３とを備える。撮影装置１２及びレーダー検出器１３は、表示ホスト１１の任意の一側又は周囲に配設される。撮影装置１２は、少なくとも１つのメディアファイルを撮影し、ＩＤ情報を識別した後、レーダー検出器１３によりレーダー波データを検出して人体生理信号情報に変換し、ＩＤ情報及び人体生理信号情報を表示ホスト１１で表示する。人体生理信号情報は、１分間当たりの呼吸数及び心拍数の情報である。レーダー検出器１３は、ミリ波レーダーの技術により検出する。【選択図】図１
0003232607.tif 000002
【実用新案登録請求の範囲】
【請求項１】
少なくとも１つの表示ホストと、少なくとも１つの撮影装置と、少なくとも１つのレーダー検出器とを備えた、レーダー検出及びＩＤ識別装置であって、
前記撮影装置及び前記レーダー検出器は、前記表示ホストの任意の一側又は周囲に配設され、
前記撮影装置は、少なくとも１つのメディアファイルを撮影し、ＩＤ情報を識別した後、前記レーダー検出器によりレーダー波データを検出して人体生理信号情報に変換し、前記ＩＤ情報及び前記人体生理信号情報を前記表示ホストで表示することを特徴とする、
レーダー検出及びＩＤ識別装置。
【請求項２】
前記人体生理信号情報は、１分間当たりの呼吸数及び心拍数の情報であることを特徴とする請求項１に記載のレーダー検出及びＩＤ識別装置。
【請求項３】
電気的に接続されたサーバー装置をさらに備え、前記サーバー装置は、少なくとも１つのプロセッサ及び少なくとも１つのコンピュータ可読記憶媒体を有し、複数の前記コンピュータ可読記憶媒体には、１つ又は複数の前記メディアファイル及び前記レーダー波データが記憶され、前記コンピュータ可読記憶媒体は、少なくとも１つのアプリケーションユニットを有し、複数の前記プロセッサが複数の前記アプリケーションユニットを実行するとき、前記サーバー装置の起動した前記アプリケーションユニット中では、前記メディアファイルがＩＤ情報として認識され、前記レーダー波データが前記人体生理信号情報に変換された後、前記ＩＤ情報及び前記人体生理信号情報がディスプレイホストに送信されて表示されるステップを行うことを特徴とする請求項１に記載のレーダー検出及びＩＤ識別装置。
【請求項４】
前記アプリケーションユニットは、１つ以上の前記メディアファイル及び前記レーダー波データを入力する入力モジュールと、複数の前記ＩＤ情報を構築するＩＤ情報アーカイブモジュールと、前記ＩＤ情報アーカイブモジュールと接続され、マスク着用の顔イメージを構築し、各前記顔イメージがそれぞれ異なる前記ＩＤ情報に対応する顔アーカイブモジュールと、前記入力モジュール及び前記顔アーカイブモジュールと接続され、前記メディアファイルが記憶された顔イメージに属するか否かを識別し、前記顔イメージに基づいて対応した前記ＩＤ情報を選び出す顔識別モジュールと、前記入力モジュールと接続され、前記レーダー波データを波形処理して人体生理信号情報に変換するレーダー波処理モジュールと、前記顔識別モジュール及び前記レーダー波処理モジュールと接続され、前記ＩＤ情報及び前記人体生理信号情報を前記表示ホストに送信して表示する情報出力モジュールと、を有することを特徴とする請求項３に記載のレーダー検出及びＩＤ識別装置。
【請求項５】
前記レーダー検出器は、ミリ波レーダーの技術により検出することを特徴とする請求項１に記載のレーダー検出及びＩＤ識別装置。
【考案の詳細な説明】
【技術分野】
【０００１】
本考案は、レーダー検出及びＩＤ識別装置に関し、特に、マスクを着用した顔のＩＤ情報及び人体の生理信号を識別する、レーダー検出及びＩＤ識別装置に関する。
【背景技術】
【０００２】
新型コロナウイルス（ＣＯＶＩＤ−１９）の感染拡大に伴い、ＷＨＯ（世界保健機関）が発表した１０大症状のうち最もよく見かける症状は発熱であり、感染者のうち８７．９％は体温が高めであった。感染者のその他の症状としては喉痛、疲労、倦怠感、嗅覚・味覚異常などがあったが、外から観察しただけでは判断することは容易でなかった。また、普通の風邪と異なり、新型コロナウイルスのほとんどは、呼吸困難、頻呼吸などの症状を伴うため、生体情報センシング（呼吸、心拍）及び遠隔での検温は、比較的実行可能な防疫である上、経済的でもある。
【０００３】
しかし接触式測定の場合、接触感染のリスクが高まるため、感染防止のために非接触式測定が広く採用され、現在、台湾高速鉄道、台湾鉄路管理局、高速道路システム及び郵便局では、体温測定が実施され、マスク着用の有無も確認されている。また、ほとんどの教育現場では、防疫措置が採られ、体温測定及びマスクの着用が既に始められている。
【０００４】
感染拡大が終了するまでは、上述したような状況が続くが、アクセス制御、出退勤管理及び従業員の健康を守るために、高画質撮影装置及びレーダー装置により、領域内のスタッフの各種生理指標を正確に測定することができれば、直接接触して測定を行うスタッフが感染するリスクを減らすことができる。そのため、マスクレーダーの組み合わせにより顔を識別し、スタッフの位置を特定し、生理指標（例えば、頻呼吸の有無など）及びマスク着用の有無を確認し、感染の広がりを防ぐ技術が求められていた。
【考案の概要】
【考案が解決しようとする課題】
【０００５】
本考案の課題は、マスクを着用した顔のＩＤ情報及び人体の生理信号を識別する、レーダー検出及びＩＤ識別装置を提供することにある。
【課題を解決するための手段】
【０００６】
上記課題を解決するために、本考案の第１の形態によれば、少なくとも１つの表示ホストと、少なくとも１つの撮影装置と、少なくとも１つのレーダー検出器とを備えた、レーダー検出及びＩＤ識別装置であって、前記撮影装置及び前記レーダー検出器は、前記表示ホストの任意の一側又は周囲に配設され、前記撮影装置は、少なくとも１つのメディアファイルを撮影し、ＩＤ情報を識別した後、前記レーダー検出器によりレーダー波データを検出して人体生理信号情報に変換し、前記ＩＤ情報及び前記人体生理信号情報を前記表示ホストで表示することを特徴とする、レーダー検出及びＩＤ識別装置が提供される。
【０００７】
前記人体生理信号情報は、１分間当たりの呼吸数及び心拍数の情報であることが好ましい。
【０００８】
電気的に接続されたサーバー装置をさらに備え、前記サーバー装置は、少なくとも１つのプロセッサ及び少なくとも１つのコンピュータ可読記憶媒体を有し、複数の前記コンピュータ可読記憶媒体には、１つ又は複数の前記メディアファイル及び前記レーダー波データが記憶され、前記コンピュータ可読記憶媒体は、少なくとも１つのアプリケーションユニットを有し、複数の前記プロセッサが複数の前記アプリケーションユニットを実行するとき、前記サーバー装置の起動した前記アプリケーションユニット中では、前記メディアファイルがＩＤ情報として認識され、前記レーダー波データが前記人体生理信号情報に変換された後、前記ＩＤ情報及び前記人体生理信号情報がディスプレイホストに送信されて表示されるステップを行うことが好ましい。
【０００９】
前記アプリケーションユニットは、１つ以上の前記メディアファイル及び前記レーダー波データを入力する入力モジュールと、複数の前記ＩＤ情報を構築するＩＤ情報アーカイブモジュールと、前記ＩＤ情報アーカイブモジュールと接続され、マスク着用の顔イメージを構築し、各前記顔イメージがそれぞれ異なる前記ＩＤ情報に対応する顔アーカイブモジュールと、前記入力モジュール及び前記顔アーカイブモジュールと接続され、前記メディアファイルが記憶された顔イメージに属するか否かを識別し、前記顔イメージに基づいて対応した前記ＩＤ情報を選び出す顔識別モジュールと、前記入力モジュールと接続され、前記レーダー波データを波形処理して人体生理信号情報に変換するレーダー波処理モジュールと、前記顔識別モジュール及び前記レーダー波処理モジュールと接続され、前記ＩＤ情報及び前記人体生理信号情報を前記表示ホストに送信して表示する情報出力モジュールと、を有することが好ましい。
【００１０】
前記レーダー検出器は、ミリ波レーダーの技術により検出することが好ましい。
【図面の簡単な説明】
【００１１】
【図１】本考案の一実施形態に係るレーダー検出及びＩＤ識別装置を示す説明図である。
【図２】本考案の一実施形態に係るレーダー検出及びＩＤ識別装置の構成を示すブロック図である。
【図３】本考案の一実施形態に係るレーダー検出及びＩＤ識別装置に接続されたサーバー装置の構成を示すブロック図である。
【図４】本考案の一実施形態に係るレーダー検出及びＩＤ識別装置に接続されたサーバー装置のアプリケーションプログラムの構成を示すブロック図である。
【考案を実施するための形態】
【００１２】
本考案の他の技術内容、特徴及び効果について、以下、図面を参照しながら好適な実施形態の詳細な説明で明らかにする。
【００１３】
図１〜図４を参照する。
図１は、本考案の一実施形態に係るレーダー検出及びＩＤ識別装置を示す説明図である。図２は、本考案の一実施形態に係るレーダー検出及びＩＤ識別装置の構成を示すブロック図である。図３は、本考案の一実施形態に係るレーダー検出及びＩＤ識別装置に接続されたサーバー装置の構成を示すブロック図である。図４は、本考案の一実施形態に係るレーダー検出及びＩＤ識別装置に接続されたサーバー装置のアプリケーションプログラムの構成を示すブロック図である。
【００１４】
図１に示すように、レーダー検出及びＩＤ識別装置１は、少なくとも１つの表示ホスト１１と、少なくとも１つの撮影装置１２と、少なくとも１つのレーダー検出器１３とを含む。
撮影装置１２及びレーダー検出器１３は、表示ホスト１１の任意の一側又は周囲に配設される。撮影装置１２により少なくとも１つのメディアファイルを撮影してＩＤ情報を識別した後、レーダー検出器１３によりレーダー波データを検出して人体生理信号情報（１分間当たりの呼吸数及び心拍数の情報）に変換し、ＩＤ情報及び人体生理信号情報を表示ホスト１１により表示する。
【００１５】
本考案は、ミリ波レーダーの技術を利用し、伝達信号と反射信号との間の遅延により、システムと物体との間の距離を計算し、対応した位相差を測定することにより物体の速度を確認してもよい。高性能レーダーシステムは、様々な速度及び軌跡で移動する多数のターゲットを追跡することができる上、その検出可能な範囲が広く、高精度で、天候の影響を受けない特性を有するため、多くの応用の基礎とすることができる。独自に開発した心拍呼吸センシングアルゴリズム、非接触式２４時間常時監視の特性を応用すると、医療、長期療養センター、スマートホームなど様々な場所で使用することができる。
【００１６】
マスクを着用した顔識別方式については、以下（１）〜（３）を参照する。
（１）顔検出は、顔識別フローの最初のステップである上、必要不可欠なステップであり、顔検出モデルの目的は、写真及びイメージストリーム中の顔を検出することにある。そのため、入力するのはＲＧＢイメージであり、出力するのは顔部座標（ＲＯＩｓ／関心領域）のデータコンビネーションである。
（２）本考案は、最新技術（ＷＩＤＥＲ  Ｆａｃｅ（Ｈａｒｄ）データセット）モデルを使用して顔検出を行う。例えば、機能が強力な顔検出モデルであるＲｅｔｉｎａＦａｃｅは、自律学習機能によりピクセルレベルの顔検出を実行することができる。
（３）本考案は、画像識別技術を利用し、マスク着用及びマスク未着用の各種画像を収集してアーカイブし、「正確に着用」及び「未着用」の２つのシナリオを有し、複数のイメージデータを判読するためにコンピュータに提供する。また、顔識別システムを結合し、ターゲットオブジェクトがマスクを的確に着用しているか否かを正確に判断する。
【００１７】
マスク着用顔識別及び人体生理信号情報識別を実行するために、レーダー検出及びＩＤ識別装置１をサーバー装置２と電気的に接続する。サーバー装置２は、少なくとも１つのプロセッサ２１及び少なくとも１つのコンピュータ可読記憶媒体２２を有する。複数のコンピュータ可読記憶媒体２２には、１つ又は複数のメディアファイル及びレーダー波データが記憶される。コンピュータ可読記憶媒体２２は、少なくとも１つのアプリケーションユニット２２１を有する。
複数のプロセッサ２１が複数のアプリケーションユニット２２１を実行するとき、サーバー装置２は以下のステップを行う。即ち、起動したアプリケーションユニット２２１中では、メディアファイルがＩＤ情報として認識され、レーダー波データが人体生理信号情報に変換された後、ＩＤ情報及び人体生理信号情報がディスプレイホストに送信されて表示される。
【００１８】
アプリケーションユニット２２１は、
（１）１つ以上のメディアファイル及びレーダー波データを入力する入力モジュール２２１１と、
（２）複数のＩＤ情報を構築し、複数のＩＤ情報ファイルを記憶するＩＤ情報アーカイブモジュール２２１２と、
（３）ＩＤ情報アーカイブモジュール２２１２と接続され、マスク着用状態とマスク未着用状態の各種顔イメージ（正確に着用、不正確に着用、未着用の少なくとも３つのシナリオに分けられる）が構築され、顔イメージの違いに応じて異なるＩＤ情報にそれぞれ対応させ、構築した顔イメージが対応したＩＤ情報ファイル内に記憶される顔アーカイブモジュール２２１３と、
（４）入力モジュール２２１１及び顔アーカイブモジュール２２１３と接続され、メディアファイルに記憶されている顔イメージ（主にマスクで覆われていない顔領域を判断する）に属するか否かを識別し、顔イメージに基づいて対応したＩＤ情報を選び出す顔識別モジュール２２１４と、
（５）入力モジュール２２１１と接続され、レーダー波データを波形処理し、人体生理信号情報に変換するレーダー波処理モジュール２２１５と、
（６）顔識別モジュール２２１４及びレーダー波処理モジュール２２１５と接続され、ＩＤ情報及び人体生理信号情報を表示ホスト１１に送信して表示する情報出力モジュール２２１６と、を含む。
【００１９】
本実施形態に係るレーダー検出及びＩＤ識別装置１の応用については、以下（１）〜（３）を参照する。
（１）レーダー検出及びＩＤ識別装置１は、使用者を撮影して一定数の写真をサーバー装置２に送信して識別する（ステップ１０１）。
（２）以下（ａ）〜（ｃ）のような状況を含む識別判断を行う（ステップ１０２）。
（ａ）もしサーバー装置２が識別失敗又は権限不一致を返送した場合、表示ホスト１１により識別失敗又は権限不一致の結果が表示され（画面が一定時間変わらず、自動的に閉じる）、ステップ１０１に戻る。
（ｂ）使用者がマスク未着用又はマスクを適正に着用していない場合、表示ホスト１１にマスク未着用の画面が表示され（画面が一定時間変わらず、自動的に閉じる）、ステップ１０１に戻る。
（ｃ）サーバー装置２の識別が成功すると、表示ホスト１１にレーダー計測中の画面が表示され、レーダー検出器１３によりレーダーデータが収集される（ステップ１０３）。
（３）使用者が一定時間内にレーダー検出及びＩＤ識別装置１を離れたか否かを判断し、以下（ａ）及び（ｂ）の状況を含む（ステップ１０４）。
（ａ）レーダー検出器１３が起動された後、短時間内に同じ従業員番号（ＩＤ情報）を受信しないか、受信した従業員番号が現在の従業員番号と異なる場合、収集したレーダーデータをサーバー装置２へ直接返送し、表示ホスト１１上に表示せずに（返送するデータは合理的なレーダーデータであり、その複数区間の算術平均数（ａｒｉｔｈｍｅｔｉｃ  ｍｅａｎ）である）、ステップ１０１に戻る。
（ｂ）レーダー検出器１３が起動された後、一定時間内に使用者がレーダー検出及びＩＤ識別装置１から離れない場合、収集したレーダーデータが表示ホスト１１により表示されるとともに、レーダーデータがサーバー装置２に直接返送され（返送されるデータは合理的なレーダーデータであり、その複数区間の算術平均数（ａｒｉｔｈｍｅｔｉｃ  ｍｅａｎ）である）、ステップ１０１に戻る。
【００２０】
表示ホスト１１により表示可能なデータは、以下（１）〜（９）のデータである。
（１）識別結果状態
（２）挨拶の言葉
（３）使用者の姓名
（４）使用者の従業員番号
（５）使用者の写真
（６）ＩＤカラー
（７）マスクの状態（０：正常、１：未着用又は不適切な着用）
（８）呼吸数及び心拍数
（９）検出状態（０：検出完了、１：データ収集の時間不足）
【００２１】
本実施形態では、呼吸範囲（１０〜２５回／１分間）及び心拍範囲（４０〜１２０回／１分間）を設定し、合理的なレーダーデータ基準を定義し、範囲基準内に無い場合、表示ホスト１１で警告メッセージを表示するか、スピーカーにより警告音を発してもよい。
【００２２】
上述したことから分かるように、本考案のレーダー検出及びＩＤ識別装置は、従来技術と比べて以下（１）〜（５）の長所を有する。
（１）高画質撮影装置及びレーダー装置を利用することにより、領域内のスタッフの各種生理指標を正確に測定することができ、直接接触して測定を行うスタッフが感染してしまうリスクを下げることができる。
（２）独自に開発した心拍呼吸センシングアルゴリズム、非接触式２４時間常時監視の特性を応用し、医療、長期療養センター、スマートホームなど様々な場所で使用することができる。
（３）本考案はレーダーマスクの組み合わせにより顔を識別し、スタッフの位置を特定し、生理指標（例えば、頻呼吸の有無など）及びマスク着用の有無を確認し、感染の広がりを防ぐことができる。  
（４）本考案はレーダーマスクの組み合わせにより顔を識別し、異常な状態が見つかったときに、防疫部門に速やかに通報する。潜在的な特定対象には、ＡＩ画像モニタリング、実名制チケット購入システム、携帯電話位置特定などの行動追跡手段が採用され、陽性患者であることが確認された場合、速やかに影響範囲を特定し、当該陽性患者と接触した可能性のある者に、体の健康状態に注意して速やかに病院に行くように知らせる。
（５）本考案は、従来技術の顔識別技術と比べ、マスク着用の顔（特に両目の間の顔の特徴）をより正確に識別することができる。
【００２３】
当該分野の当業者にとって理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１  レーダー検出及びＩＤ識別装置
２  サーバー装置
１１  表示ホスト
１２  撮影装置
１３  レーダー検出器
２１  プロセッサ
２２  コンピュータ可読記憶媒体
２２１  アプリケーションユニット
２２１１  入力モジュール
２２１２  ＩＤ情報アーカイブモジュール
２２１３  顔アーカイブモジュール
２２１４  顔識別モジュール
２２１５  レーダー波処理モジュール
２２１６  情報出力モジュール
【図１】
0003232607.tif 000003
【図２】
0003232607.tif 000004
【図３】
0003232607.tif 000005
【図４】
0003232607.tif 000006